(57)【要約】ボールケースが開示される。本発明に係るボールケースは収納物を簡単な方式で迅速に収納することができ、収納された収納物の引き出しを防止するためのカバーのような構成がなくても収納物を安定的に拘束させて任意に引き出されることを防止することができながらも、収納物を簡単な方式で引き出しできるようにするためのものである。上部に引入れ口が形成され、内部に収納物が収納される収納スペースが形成され、側面に収納物が引き出される引き出し口が形成された収納部、前記収納部に形成され、前記収納スペースの収納物を弾性的に押圧して保持させるホールディング部と、を含む。
2021522869.tif 000002
【特許請求の範囲】
【請求項１】
上部に引入れ口が形成され、内部に収納物が収納される収納スペースが形成され、側面に収納物が引き出される引き出し口が形成された収納部と、
前記収納部に形成され、前記収納スペースの収納物を弾性的に押圧して保持させるホールディング部と、を含むことを特徴とするボールケース。
【請求項２】
前記収納部の収納スペースには、複数の収納物が多段に収納され、
前記収納部には、引き出し口の上部に位置されて最上段に位置された収納物と接触される引き出し防止部が形成され、
前記ホールディング部は、前記引き出し防止部によって固定された収納物を押圧することを特徴とする請求項１に記載のボールケース。
【請求項３】
前記収納部には、前記ホールディング部が収容される収容スペースを有する収容部が形成され、
前記ホールディング部は、
前記収容部の内部スペースに配置され、前記収納スペースに向いて斜めに結合される弾性部材と、
前記弾性部材の上部に結合されて、前記収納物の側面を下方向から上方向に押圧する押圧部材とを含むことを特徴とする請求項２に記載のボールケース。
【請求項４】
前記収納スペースの最下段に位置された収納物を弾性的に支持する弾性支持部をさらに含み、
前記弾性支持部は、
前記収納部の下部における開放された部分に結合され、互いに離隔される複数の出入り孔が形成されたカバー部材と、
前記収納スペースに収納されて、前記出入り孔を介して収納スペースの内部または外部に出入りする移動部材が形成された昇降部材と、
前記カバー部材と昇降部材との間に配置され、前記昇降部材が収納物の押圧によって下降の際元の位置に復帰させる復帰部材と、を含むことを特徴とする請求項２に記載のボールケース。
【請求項５】
前記収納部の外面に装着され、外面には互いに離隔される複数の差し込み部が形成されたクリップ部をさらに含むことを特徴とする請求項１に記載のボールケース。
【請求項６】
前記収納部またはクリップ部の外面に形成され、ゴルフグローブに備えられるベルクロ（登録商標）が取り付けられる手袋取付部をさらに含むことを特徴とする請求項５に記載のボールケース。
【請求項７】
前記収納部の外面には、補助収納部がさらに形成され、
前記補助収納の内部に固定されてボールマーカーが取り付けられるボールマーカー取付部をさらに含むことを特徴とする請求項１に記載のボールケース。
【発明の詳細な説明】
【技術分野】
【０００１】
本発明は、ボールケースに係るものであって、より詳細には、ゴルフボール、野球ボール、テニスボールなど様々な種類の収納物を安定的に保管することができ、また簡単な方式で迅速に引き出すことができるボールケースに関するものである。
【背景技術】
【０００２】
一般的に、ゴルフはゴルファーがホールを移動してゲームをする時、ティーショットなどがＯＢ（ｏｕｔ  ｏｆ  ｂｏｕｎｄ）になったり、ウォーターハザードに陥ってゴルフボールを失ってしまったりする場合がたまに生じる。
【０００３】
このとき、ゴルファーは新しいボールでゲームを進行しなければないので、ゴルファーがゴルフバッグの位置に移動して新しいゴルフボールを準備しなければならない場合が発生し、これにより、ゲームの進行を円滑に進めていなくなって、後続の他のチームや同僚に不便を与える場合が発生した。
【０００４】
それで、多くのゴルファーはこのようなことを防止しようと、余分のゴルフボールとティーを１〜２個ずつズボンのポケットに予め入れてラウンディングする場合がほとんどである。しかし、これはポケットが突出して見かけ上もよくないばかりか、歩くにも不便でスイングやパットなどの動作において不安定な姿勢を起こす問題がある。
【０００５】
これらの問題点を解決するために従来にはゴルフ用品を腰につけ、携帯できるようにして、必要な時毎に簡単に引き出して使用できるように考案された韓国公開特許公報第１０-２００５-００６２８９０号による「携帯用ゴルフボールケース」のような先行技術が提案されたところがある。
【０００６】
前記のような従来技術は、ボディの内部にゴルフボールを引入れ、またはボディの外部にゴルフボールを引き出すたびに、内部ケースを回動させて外部ケースの排出口と、内部ケースの排出口を一致させなければならず、ゴルフボールを引き出しした後は、内部ケースを再逆に回動させて外部ケースの排出口と内部ケースの排出口をずらしてゴルフボールが任意に引き出されることを防止する必要があるため、使用が不便な問題点があった。
【先行技術文献】
【特許文献】
【０００７】
【特許文献１】韓国公開特許公報第１０-２００５-００６２８９０号
【発明の概要】
【発明が解決しようとする課題】
【０００８】
本発明は、前記の従来技術の問題点を解決するために案出されたものであって、収納物を簡単な方式で迅速に収納することができ、収納された収納物の引き出しを防止するためのカバーのような構成がなくても収納物を安定的に拘束させて任意に引き出されることを防止することができながらも、収納物を簡単な方式で引き出すことができるボールケースの提供をその目的とする。
【課題を解決するための手段】
【０００９】
前記のような目的を達成するために、本発明に係るボールケースは、上部に引入れ口が形成され、内部に収納物が収納される収納スペースが形成され、側面に収納物が引き出される引き出し口が形成された収納部と、前記収納部に形成されて前記収納スペースの収納物を弾性的に押圧して保持させるホールディング部と、を含むことができる。
【００１０】
このとき、前記収納部の収納スペースには、複数の収納物が多段に収納され、前記収納部には、引き出し口の上部に位置され、最上段に位置された収納物と接触される引き出し防止部が形成され、前記ホールディング部は、前記引き出し防止部によって固定された収納物を押圧することができる。
【００１１】
一方、前記収納部には、前記ホールディング部が収容される収容スペースを有する収容部が形成され、前記ホールディング部は前記収容部の内部スペースに配置され、前記収納スペースに向いて斜めに結合される弾性部材と、前記弾性部材の上部に結合されて前記収納物の側面を下方向から上方向に押圧する押圧部材と、を含むことができる。
【００１２】
前記収納スペースの最下段に位置された収納物を弾性的に支持する弾性支持部をさらに含むことができるものの、このとき、前記弾性支持部は、前記収納部の下部における開放された部分に結合され、互いに離隔される複数の出入り孔が形成されたカバー部材と、前記収納スペースに収納されて前記出入り孔を介して収納スペースの内部または外部に出入りする移動部材が形成された昇降部材と、前記カバー部材と昇降部材との間に配置され、前記昇降部材が収納物の押圧によって下降の際元の位置に復帰させる復帰部材と、を含む。
【００１３】
また、前記収納部の外面に装着され、外面には互いに離隔される複数の差し込み部が形成されたクリップ部をさらに含むことができる。
【００１４】
そして、前記収納部またはクリップ部の外面に形成され、ゴルフグローブに備えられるベルクロ（登録商標）が取り付けられる手袋取付部をさらに含むことができる。
【００１５】
このとき、前記収納部の外面には補助収納部がさらに形成され、前記補助収納部の内部に固定されてボールマーカーが取り付けられるボールマーカー取付部をさらに含むことができる。
【発明の効果】
【００１６】
本発明によると、収納された収納物を安定的に拘束させて任意で引き出されることを防止することができ、収納物を簡便な方式で引き出すことができるため、使用上の安全性と利便性を向上させることができる効果がある。
【図面の簡単な説明】
【００１７】
【図１】本発明に係るボールケースを示す分解斜視図である。
【図２】本発明に係るボールケースを示す結合斜視図である。
【図３】本発明に係るボールケースを示す結合断面図である。
【図４】本発明に係るボールケースにおいて上段に位置されたゴルフボールを押圧した状態を示す断面図である。
【図５】本発明に係るボールケースにおいて上段に位置されたゴルフボールを押圧する前の状態を示す参考図である。
【図６】本発明に係るボールケースにおいてゴルフボールを引出す過程を示す参考図である。
【符号の説明】
【００１８】
１：ボールケース
１０：収納部
１０ａ：引入れ口                    
１０ｂ：収納スペース
１０ｃ：引き出し口                    
１０ｄ：装着溝
１１：引き出し防止部                 
２０：ホールディング部
２１：弾性部材
２２：押圧部材                   
３０：収容部                     
３１：支持面
３２：傾斜保持面                 
４０：弾性支持部
４１：カバー部材                   
４１ａ：出入り孔
４２：昇降部材                   
４３：復帰部材                   
５０：クリップ部
５１：差し込み部                     
６０：手袋取付部
７０：補助収納部                 
８０：ボールマーカー取付部
９０：ゴルフボール                     
１００：ゴルフグローブ
１０１：ベルクロ（登録商標）
１１０：ボールマーカー
４２１：移動部材
【発明を実施するための形態】
【００１９】
本発明の利点および特徴、そしてそれらを達成する方法は添付される図面と共に詳細に後述されている実施の形態を参照すると明確になるだろう。
【００２０】
しかし、本発明は、以下で開示される実施の形態に限定されるものではなく、互いに異なる多様な形態で具現することができ、単に本実施の形態は、本発明の開示が完全になるようにして、本発明の属する技術分野における通常の知識を有する者に発明の範疇を完全に知らせるために提供されるものであって、本発明は、請求項の範疇によって定義されるだけである。明細書全体にわたって同一参照符号は同一の構成要素を指す。
【００２１】
以下、本発明の属する技術分野における通常の知識を有する者が容易に実施できるように本発明の実施の形態にについて添付した図面を参考にして詳細に説明する。しかし、本発明は、様々な形態で具現することができ、ここで説明する実施の形態に限定されない。明細書全体にわたって類似した部分については同一の図面符号を付けた。
【００２２】
図１は、本発明に係るボールケースを示す分解斜視図であり、図２は、本発明に係るボールケースを示す結合斜視図であり、図３は、本発明に係るボールケースを示す結合断面図であり、図４は、本発明に係るボールケースにおいて上段に位置されたゴルフボールを押圧した状態を示す断面図であり、図５は、本発明に係るボールケースにおいて上段に位置されたゴルフボールを押圧する前の状態を示す図であり、図６は、本発明に係るボールケースにおいてゴルフボールを引き出す過程を示す図である。
【００２３】
本発明は、複数の収納物を保持させて安定的に保管することができることと併せて、保管された収納物を簡便な方式で引き出すことができるボールケース１である。
【００２４】
このために、本発明に係るボールケース１は、収納部１０と、ホールディング部２０と、を含むことができる。
【００２５】
このとき、収納物は、ゴルフボール、野球ボール、テニスボールなど、その他の様々なものを適用することができ、以下では、前記収納物がゴルフボールに適用された例を挙げて説明する。
【００２６】
収納部１０は、ゴルフボール９０を収納するためのものであって、上部にゴルフボール９０が引き入れられる引入れ口１０ａと、内部にゴルフボール９０が収納される収納スペース１０ｂと、側面にゴルフボール９０が引き出される引き出し口１０ｃと、が形成される。
【００２７】
さらに、収納部１０は、引き出し口１０ｃと反対の位置に後述されるホールディング部２０を通過させるための通過孔を有する。
【００２８】
収納部１０の収納スペース１０ｂの直径は、ゴルフボール９０よりは多少広く形成され、その微細な間隔の差は１ｍｍ〜２ｍｍ以内であり得る。
【００２９】
よって、ゴルフボール９０の引入れと引き出しの時、干渉を防止してゴルフボール９０の遊びを最小化することができ、移動時には揺れや揺れによる騒音が発生しないようにすることができる。
【００３０】
そして、収納部１０には、ゴルフボール９０が一つまたは二つ以上の多段に収納することができ、図面では収納部１０が細長い円筒状に形成されて二つのゴルフボール９０を収納した例を示す。
【００３１】
さらに、収納部１０の引き出し口１０ｃの両側面は、上段に位置されたゴルフボール９０を容易に引き出すことができるように「Ｃ」形状に開放されている。
【００３２】
このとき、図面には収納部１０が円筒状であると示されたが、これに限定せずに内部にゴルフボール９０を収容することができる構造であれば、円筒状のほか、様々に変形することができる。
【００３３】
付加的に、収納部１０の上部には、上段に位置されたゴルフボール９０が任意に引き出されることを防止するための引き出し防止部１１が形成され、収納部１０の下側における開放された部分には、下段に位置されたゴルフボール９０を支持しながら上段に位置されたゴルフボール９０が下降作動を介して引き出し防止部１１の領域から脱して引き出し口１０ｃを介して引き出されることができるように弾性支持部４０が結合される。
【００３４】
具体的には、収納部１０の上部は所定の長さに開放されており、引き出し防止部１１は収納部１０の上部両端にそれぞれ一体に形成されて引き出し口１０ｃの上部に位置される。
【００３５】
このとき、収納部１０の平面視において、収納部１０と引き出し防止部１１とを組み合わせた形状は、略「Ｃ」字状になる。
【００３６】
引き出し防止部１１は、収納スペース１０ｂの上段に位置されたゴルフボール９０の一部分と接触して、ゴルフボール９０が引き出し口１０ｃを介して任意に引き出されることを防止する。
【００３７】
このとき、引き出し防止部１１のうちゴルフボール９０と接触される内側面は、ゴルフボール９０と離隔されずに完全に密着できるように丸め処理することができる。
【００３８】
さらに、収納部１０の上部側面には、ホールディング部２０を隠すための収容部３０が形成される。
【００３９】
つまり、収容部３０は、ホールディング部２０が外部に露出されることを防止して、使用中に破損されないようにする構成であって、略多角枠状を成しており、内部にホールディング部２０が収容される収容スペースが形成される。
【００４０】
このとき、収容部３０の収容スペースは、通過孔と連結される。よって、ホールディング部２０は、一部分が通過孔を通過して収納スペース１０ｂに位置される。
【００４１】
特に、収容部３０の底面は、ホールディング部２０が斜めに設けられてゴルフボール９０を下方向から上方向に押圧することができように、図３のように収容スペースの左側の入口から右側の出口に行くほど徐々に低くなる傾斜角を有する。
【００４２】
そして、収容部３０の天井面には、ホールディング部２０が収容スペースから離脱されることを防止するための支持面３１が傾斜状に形成され、収容スペースの中央部分には、ホールディング部２０を傾斜状で保持するための傾斜保持面３２が傾斜状に形成される。
【００４３】
一方、弾性支持部４０は、下段に位置されたゴルフボール９０を弾性的に支持して上段に位置されたゴルフボール９０を容易に引き出すことができるようにする構成である。
【００４４】
このため、弾性支持部４０は、カバー部材４１と、昇降部材４２と、復帰部材４３と、を含むことができる。
【００４５】
カバー部材４１は、平たい板状で形成することができ、前記収納部１０と同じ断面形状で形成することができる。
【００４６】
カバー部材４１は、収納部１０の下部における開放された部分に結合されて、開放部分を閉鎖する。
【００４７】
第一実施例において、カバー部材４１と収納部１０とに互いに取り付けることができる磁石をそれぞれ埋め立てることによって、収納部１０にカバー部材４１を取付方式で結合することができる。
【００４８】
第二実施例において、カバー部材４１と収納部１０のいずれかは、１つ以上の溝を形成し、他の一つには、溝に嵌合固定される突起を形成することにより、収納部１０にカバー部材４１を嵌合方式で結合することができる。
【００４９】
第三実施例において、カバー部材４１と収納部１０とに、互いに締結される螺旋をそれぞれ形成することにより、収納部１０にカバー部材４１を締結方式で結合することができる。
【００５０】
付加的に、カバー部材４１には、昇降部材４２の昇降を可能にするための出入り孔４１ａが形成される。
【００５１】
このとき、出入り孔４１ａは、複数個適用され、カバー部材４１の縁に沿って互いに離隔されるように配置され、後述される昇降部材４２がバランスの取れた姿勢で昇降できるようにする。
【００５２】
昇降部材４２は、前記収納部１０と同じ断面形状で形成されて収納スペース１０ｂに収納される。
【００５３】
昇降部材４２は、収納スペース１０ｂにおいて、カバー部材４１の上部に位置され、周縁には出入り孔４１ａと対応する位置に移動部材４２１が形成される。
【００５４】
移動部材４２１は、一定の長さを有するように形成されて昇降部材４２の下に突出され、出入り孔４１ａに沿って昇降移動しながら収納スペース１０ｂの内部または外部に出入りすることができる。
【００５５】
このとき、昇降部材４２の直径は、収納部１０の収納スペース１０ｂよりは多少小さめに形成され、その微細な間隔の差は１ｍｍ〜２ｍｍ以内であり得る。
【００５６】
よって、昇降部材４２が昇降の際の干渉を防止しながら遊びを最小化することができ、移動時には揺れや揺れによる騒音が発生しないようにすることができる。
【００５７】
復帰部材４３は、上段に位置されたゴルフボール９０が下降作動できるように昇降部材４２を弾性的に支持する構成である。
【００５８】
復帰部材４３は、公知のコイルバネまたは板バネに形成することができ、図面においては、復帰部材４３がコイルバネに適用された例を示した。
【００５９】
これらの復帰部材４３は、カバー部材４１と昇降部材４２との間に配置され、下端はカバー部材４１の上面に固定され、上端は昇降部材４２の底面に固定される。
【００６０】
よって、復帰部材４３は、上段に位置されたゴルフボール９０を引き出し口１０ｃ側に移動させるために下降させる場合、下降される昇降部材４２と、カバー部材４１との間で圧縮され、上段に位置されたゴルフボール９０を引き出せることによって、ゴルフボール９０の押圧力が消滅される場合には、元の形に復元されながら昇降部材４２を上昇させて元位置になる。
【００６１】
一方、ホールディング部２０は、引き出し防止部１１によって固定されたゴルフボール９０を弾性的に押圧して保持させる構成であって、弾性部材２１と、押圧部材２２と、を含むことができる。
【００６２】
弾性部材２１は、押圧部材２２に押圧力を提供する構成であって、収容部３０の収容スペースに収容され、下端が収容部３０の底面に固定され、略中央部分が傾斜保持面３２に支持されて収納部１０の収納スペース１０ｂに向いて傾いた形を保持する。
【００６３】
押圧部材２２は、底面が開放され、内部に収容スペースが形成された構造からなる。
【００６４】
押圧部材２２の収容スペースには、弾性部材２１の上側の一部分が収容及び固定される。
【００６５】
よって、押圧部材２２も収納部１０の収納スペース１０ｂに向いて傾いた形を保持する。
【００６６】
このとき、押圧部材２２は、一部分が収容部３０の支持面３１に支持され、他の一部分は収納部１０の通過孔を通過して収納部１０の収納スペース１０ｂに位置される。
【００６７】
また、押圧部材２２は、弾性部材２１の弾性力により収納スペース１０ｂに位置された部分が収納部１０の収納スペース１０ｂの上段に位置されたゴルフボール９０の側面を下方向から上方向に押圧して固定させる。
【００６８】
このとき、上段に位置されたゴルフボール９０が下段に位置されたゴルフボール９０の上部に積層され、上段に位置されたゴルフボール９０がホールディング部２０によって保持されることによって、上段に位置されたゴルフボール９０に人為的な力を加えない限り、下段に位置されたゴルフボール９０も共にホールディングされる。
【００６９】
一方、本発明に係るボールケース１は、図１乃至図３に示すように、様々な種類のゴルフ用品を収納部１０に一緒に保管できるようにするためのクリップ部５０と、手袋取付部６０と、ボールマーカー取付部８０と、をさらに含むことができる。
【００７０】
まず、クリップ部５０は、平面視において、断面形状が略「Ｃ」字状に形成され、プラスチック、金属など弾性力を有する材質からなって、収納部１０の外面に形成された装着溝１０ｄに装着される。
【００７１】
また、クリップ部５０の外面には、互いに離隔または接触される複数の差し込み部５１が形成される。
【００７２】
差し込み部５１は、平面視において、断面形状が略「Ｃ」字状に形成され、プラスチック、金属など弾性力を有する材質からなる。
【００７３】
よって、差し込み部５１にゴルフティーまたはこれと類似するものを差し込んで安全に保管することができ、ゴルフをする過程において、ゴルフティーが必要な場合、差し込み部５１に固定されたゴルフティーを手軽に取り出して使用すればよい。
【００７４】
一方、手袋取付部６０は、公知のベルクロ（登録商標）１０１で形成することができる。
【００７５】
手袋取付部６０は、収納部１０またはクリップ部５０の外面に固定され、または収納部１０とクリップ部５０とにそれぞれ固定することができる。
【００７６】
また、図面においては、手袋取付部６０が収納部１０の外面に適用された例を示す。
【００７７】
よって、ゴルフグローブ１００のひもを固定させるために設けられるベルクロ（登録商標）１０１を手袋取付部６０に取り付けるとボールケース１にゴルフボール９０とゴルフグローブ１００と、を共に保管することができる。
【００７８】
したがって、休息を取ったり、別の場所に移動するとき、ゴルフグローブ１００を折ってポケットに入れなくてもよいので、ゴルフグローブ１００の寿命と品質が不必要に低下することを防止することができ、ゴルフグローブ１００を持ち歩いて紛失する状況が発生されないようにする。
【００７９】
一方、ボールケース１の外面には、底面が開放され、内部に空きスペースが形成された補助収納部７０が形成され、ボールマーカー取付部８０は、補助収納部７０の内部スペースに固定される。
【００８０】
ボールマーカー取付部８０は、磁石材料で形成されるので、ユーザーは、金属材料で形成されるボールマーカー１１０をボールマーカー取付部８０に取り付けて保管したらよく、ゴルフをする過程において、ボールマーカー１１０が必要な場合、ボールマーカー取付部８０に取り付けられたボールマーカー１１０を容易に分離して使用すればよい。
【００８１】
次に、本発明に係るボールケースの作動及びその過程で現れる特有の効果について説明する。
【００８２】
ゴルフボール９０を所定の力で押圧して引入れ口１０ａに押し込むと、ゴルフボール９０によって引き出し防止部１１が広げながら押し込まれるようになり、次いでゴルフボール９０によって押圧部材２２が収容部３０に押し込まれるようになってゴルフボール９０が収納スペース１０ｂに移動するようになる。
【００８３】
同じ方法で、最後のゴルフボール９０を押し込んで引き出し防止部１１及び押圧部材２２を通って挿入が完了すると、引き出し防止部１１及び押圧部材２２によって拘束されるようになる。
【００８４】
このとき、ゴルフボール９０に対するユーザーの押圧力が解除されると、弾性支持部４０の弾性によりゴルフボール９０が引入れ口側に押し上げられるので、ゴルフボール９０が引き出し防止部１１及び押圧部材２２に密着された状態が保持される。
【００８５】
よって、収納部１０の収納スペース１０ｂにゴルフボールを保管する際にゴルフボールが任意に引き出されることを防止することができるので、ゴルフボールを紛失する事故が発生されないようにする利点を提供することができる。
【００８６】
一方、このように収納部１０に収納されたゴルフボールを引き出したい場合は、図４及び図６に示すように、上段に位置されたゴルフボールを下方向に押圧して上段に位置されたゴルフボールが引き出し防止部の領域から脱して引き出し口１０ｃ上に位置するようにして、上段に位置されたゴルフボールを手でつかんで、水平方向に引っ張って引き出せばよい。
【００８７】
つまり、上段に位置されたゴルフボールを所定の力で押圧するだけでゴルフボールに対する押圧部材２２の拘束力が低下するため、誰でも簡単にゴルフボールを引き出して使用できる利点を提供することができる。
【００８８】
このとき、上段に位置されたゴルフボールを下方向に押圧すると下段に位置されたゴルフボールも下降されて昇降部材４２を下降させる。
【００８９】
このような場合は、移動部材４２１の一部分が出入り孔４１ａを介して引き出されてカバー部材４１の下部に突出され、復帰部材４３はカバー部材４１と昇降部材４２との間で圧縮される。
【００９０】
そして、前述したように、上段に位置されたゴルフボールを収納スペース１０ｂの外部に引き出せると下段に位置されたゴルフボールに加えられた押圧力が消滅されることによって、復帰部材４３が元の形に膨張されて昇降部材４２及び下段に位置されたゴルフボールを元の位置に復帰させる。
【００９１】
よって、ユーザーは必要によって収納部１０の収納スペース１０ｂに残っているゴルフボールを使用すればよい。
【００９２】
本発明の属する技術分野における通常の知識を有する者は、本発明がその技術的思想や必須的な特徴を変更せず、他の具体的な形態で実施されることが理解できるだろう。したがって、以上で記述した実施の形態は、すべての面で例示的なものであって限定的ではないと理解すべきである。本発明の範囲は、前記詳細な説明よりは後述する特許請求の範囲によって示され、特許請求の範囲の意味及び範囲、そしてその均等概念から導出されるすべての変更または変形された形態が本発明の範囲に含まれると解釈すべきである。
【図１】
2021522869.tif 000003
【図２】
2021522869.tif 000004
【図３】
2021522869.tif 000005
【図４】
2021522869.tif 000006
【図５】
2021522869.tif 000007
【図６】
2021522869.tif 000008
【国際調査報告】
2021522869.tif 000009
2021522869.tif 000010
2021522869.tif 000011
2021522869.tif 000012